(57)【要約】【課題】使い勝手が良く、バッテリの早期劣化を防止できる集塵機と電動工具の連動運転システム１００を得る。【解決手段】この集塵機と電動工具の連動運転システム１００は、電動工具４０の運転動作に伴って集塵機２０が連動運転を行うことで電動工具４０側で発生する加工屑を集塵機２０で回収するものであって、集塵機２０と前記電動工具４０との間には、集塵機２０と前記電動工具４０とを電気的に接続するための電気コード３１が設けられ、また、集塵機２０には、駆動電力を供給するための２個以上のバッテリ５，６が設置可能であり、２個以上のバッテリ５，６によって供給される電力によって、集塵機２０と電動工具４０との連動運転が可能とされ、さらに、駆動電力を供給可能なバッテリ５，６が１個のときには、集塵機２０と電動工具４０との連動運転が不能となるように構成したことを特徴とする。【選択図】図１
2018196911.tif 000002
【特許請求の範囲】
【請求項１】
集塵機と電動工具を集塵ホースで連結し、前記電動工具の運転動作に伴って前記集塵機が連動運転を行うことで、前記電動工具側で発生する加工屑を前記集塵機で回収するようにした集塵機と電動工具の連動運転システムであって、
前記集塵機と前記電動工具との間には、前記集塵機と前記電動工具とを電気的に接続するための電気コードが設けられ、また、
前記集塵機には、駆動電力を供給するための２個以上のバッテリが設置可能であり、
前記２個以上のバッテリによって供給される電力によって、前記集塵機と前記電動工具との連動運転が可能とされ、さらに、
駆動電力を供給可能なバッテリが１個のときには、前記集塵機と前記電動工具との連動運転が不能となるように構成したことを特徴とする集塵機と電動工具の連動運転システム。
【請求項２】
請求項１に記載の集塵機と電動工具の連動運転システムにおいて、
駆動電力を供給可能なバッテリが１個のときには、前記集塵機と前記電動工具のいずれも運転動作不能となるように構成したことを特徴とする集塵機と電動工具の連動運転システム。
【請求項３】
請求項１に記載の集塵機と電動工具の連動運転システムにおいて、
駆動電力を供給可能なバッテリが１個のときには、前記集塵機は運転動作不能となる一方で、前記電動工具は運転動作可能となるように構成したことを特徴とする集塵機と電動工具の連動運転システム。
【発明の詳細な説明】
【技術分野】
【０００１】
本発明は、集塵機と電動工具の連動運転システムに関するものである。
【背景技術】
【０００２】
従来から、集塵機と電動工具を集塵ホースで連結し、電動工具の運転動作に伴って集塵機が連動運転を行うことで、電動工具側で発生する加工屑を集塵機で回収するようにした集塵機と電動工具の連動運転システムが公知である。
【０００３】
例えば、下記特許文献１に記載のバッテリ式の集塵機は、電動工具を接続可能に構成されており、当該集塵機に対して電動工具を接続することで、電動工具への電力供給機能と、電動工具のＯＮ／ＯＦＦに連動する連動運転機能とからなる、連動運転システムを構成している。そして、このバッテリ式の集塵機には、複数個のバッテリが装着可能であることが開示されている。
【先行技術文献】
【特許文献】
【０００４】
【特許文献１】特開２０１４−１４７９０４号公報
【発明の概要】
【発明が解決しようとする課題】
【０００５】
しかしながら、上掲した特許文献１に記載のバッテリ式の集塵機では、仮にバッテリが１個の状態でも、連動運転機能が作動するように構成されるものであるため、そのような場合には、短時間でバッテリ切れを起こしてしまうという課題が存在していた。すなわち、操作者が、電力供給可能なバッテリが１個の状態であるにもかかわらず、２個のバッテリが使用可能であると思い込んだ場合、あるいは、バッテリが１個のみ装着されているにもかかわらず、２個のバッテリが装着されていると思い込んだ場合、このような状態から集塵機と電動工具の連動運転を実施すると、不意なバッテリ切れを起こすことになってしまうので、操作者としては使い勝手が良くないという課題が発生することとなる。
【０００６】
また、１個のバッテリのみで集塵機と電動工具の連動運転を実施すると、通常は２個のバッテリで連動運転を実施することを想定していることから、１個のバッテリに対して大きな負荷を与えることになる。具体的には、１個のバッテリでは、放電が早くなることで発熱してしまい、早期劣化の原因ともなる。したがって、このような不具合の発生を防止するためにも、複数個のバッテリを用いる集塵機と電動工具の連動運転システムにおいて、複数個のバッテリを必ず同時に使用するような構成とし、１個のバッテリのみでは連動動作しないようにする構成の実現が求められていたが、従来そのような構成は提案されていなかった。
【０００７】
本発明は、上述した従来技術に存在する複数の課題に鑑みて成されたものであり、その目的は、２個以上のバッテリによって供給される電力によって、集塵機と電動工具との連動運転が可能とされる集塵機と電動工具の連動運転システムにおいて、駆動電力を供給可能なバッテリが１個のときには、集塵機と電動工具との連動運転が不能となるシステムを提供することにある。そのような目的を実現することで、使い勝手が良く、バッテリの早期劣化を防止できる集塵機と電動工具の連動運転システムを提供することが可能となる。
【課題を解決するための手段】
【０００８】
以下、本発明について説明する。なお、本発明の理解を容易にするために添付図面の参照番号を括弧書きにて付記するが、それにより本発明が図示の形態に限定されるものではない。
【０００９】
本発明に係る集塵機と電動工具の連動運転システム（１００）は、集塵機（２０）と電動工具（４０）を集塵ホース（２１）で連結し、前記電動工具（４０）の運転動作に伴って前記集塵機（２０）が連動運転を行うことで、前記電動工具（４０）側で発生する加工屑を前記集塵機（２０）で回収するようにした集塵機と電動工具の連動運転システム（１００）であって、前記集塵機（２０）と前記電動工具（４０）との間には、前記集塵機（２０）と前記電動工具（４０）とを電気的に接続するための電気コード（３１）が設けられ、また、前記集塵機（２０）には、駆動電力を供給するための２個以上のバッテリ（５，６）が設置可能であり、前記２個以上のバッテリ（５，６）によって供給される電力によって、前記集塵機（２０）と前記電動工具（４０）との連動運転が可能とされ、さらに、駆動電力を供給可能なバッテリ（５，６）が１個のときには、前記集塵機（２０）と前記電動工具（４０）との連動運転が不能となるように構成したことを特徴とするものである。
【００１０】
また、本発明に係る集塵機と電動工具の連動運転システム（１００）では、駆動電力を供給可能なバッテリ（５，６）が１個のときには、前記集塵機（２０）と前記電動工具（４０）のいずれも運転動作不能となるように構成することができる。
【００１１】
また、本発明に係る集塵機と電動工具の連動運転システム（１００）では、駆動電力を供給可能なバッテリ（５，６）が１個のときには、前記集塵機（２０）は運転動作不能となる一方で、前記電動工具（４０）は運転動作可能となるように構成することができる。
【発明の効果】
【００１２】
本発明によれば、２個以上のバッテリによって供給される電力によって、集塵機と電動工具との連動運転が可能とされる集塵機と電動工具の連動運転システムにおいて、駆動電力を供給可能なバッテリが１個のときには、集塵機と電動工具との連動運転が不能となるシステムを提供することができる。また、本発明によれば、使い勝手が良く、バッテリの早期劣化を防止できる集塵機と電動工具の連動運転システムを提供することが可能となる。
【図面の簡単な説明】
【００１３】
【図１】本実施形態に係る集塵機と電動工具の連動運転システムの構成例を示す図である。
【図２】本実施形態に係る集塵機と電動工具の連動運転システムの構成を説明するための図である。
【図３】本実施形態に係る集塵機と電動工具のシステム構成を説明するための回路ブロック図であり、図中の分図（ａ）は、集塵機側の回路ブロック図であり、図中の分図（ｂ）は、電動工具側の回路ブロック図である。
【図４】本実施形態に係る集塵機と電動工具のシステム構成を説明するための回路ブロック図であり、図３中の分図（ａ）に示された集塵機側の回路と図３中の分図（ｂ）に示された電動工具側の回路とをコネクタ接続した状態を示している。
【発明を実施するための形態】
【００１４】
以下、本発明を実施するための好適な実施形態について、図面を用いて説明する。なお、以下の実施形態は、各請求項に係る発明を限定するものではなく、また、実施形態の中で説明されている特徴の組み合わせの全てが発明の解決手段に必須であるとは限らない。
【００１５】
まず、本実施形態に係る集塵機と電動工具の連動運転システム１００の構成例について、図１および図２を用いて説明する。ここで、図１は、本実施形態に係る集塵機と電動工具の連動運転システムの構成例を示す図であり、図２は、本実施形態に係る集塵機と電動工具の連動運転システムの構成を説明するための図である。
【００１６】
図１および図２に示すように、本実施形態に係る集塵機と電動工具の連動運転システム１００は、集塵機２０と、電動工具４０と、集塵機２０と電動工具４０とを電気的に接続するための電気コード３１と、を備えて構成される。
【００１７】
本実施形態に係る集塵機２０は、電動工具４０の運転動作に伴って連動運転が行われることで、電動工具４０側で発生する加工屑を回収するようになっている。図１および図２に示すように、集塵機２０は、駆動源となるモータ４（図３および図４参照）と、電動工具４０と連結される集塵ホース２１と、駆動電力を供給するためのバッテリ５，６と、後述する集塵機２０側のコネクタ３３を設置するためのコネクタ設置部２３と、を備えて構成される。図２に示すように、本実施形態に係る集塵機２０には、２個のバッテリ５，６が設置可能となっているが、その数は適宜増やすことができる。
【００１８】
集塵機２０と電動工具４０との間には、集塵機２０と電動工具４０とを電気的に接続するための電気コード３１が設けられる。電気コード３１の両端には、集塵機２０と電動工具４０とを電気的に接続するためのコネクタ３３，３５が設けられる。集塵機２０側のコネクタ３３が、集塵機２０のコネクタ設置部２３に設置されるとともに、電動工具４０側のコネクタ３５が、後述する電動工具４０のコネクタ挿入口４１に挿入されることで、集塵機２０と電動工具４０とが電気的に接続される。
【００１９】
電動工具４０は、コネクタ３５を挿入するためのコネクタ挿入口４１を備えて構成される。本実施形態では、図１に示すように、電動工具４０側のコネクタ３５と電動工具４０に駆動電力を供給するためのバッテリ４３とが類似した形状を有しているので、コネクタ挿入口４１にコネクタ３５とバッテリ４３のいずれかを挿入可能となっている。したがって、本実施形態に係る電動工具４０は、バッテリ４３をコネクタ挿入口４１に挿入することにより、集塵機２０と接続することなく単独でも駆動可能な構成となっている。
【００２０】
以上、本実施形態に係る集塵機と電動工具の連動運転システム１００の構成例について説明した。次に、本実施形態に係る集塵機２０と電動工具４０のシステム構成について、図３および図４を用いて説明する。ここで、図３は、本実施形態に係る集塵機と電動工具のシステム構成を説明するための回路ブロック図であり、図中の分図（ａ）は、集塵機側の回路ブロック図であり、図中の分図（ｂ）は、電動工具側の回路ブロック図である。また、図４は、本実施形態に係る集塵機と電動工具のシステム構成を説明するための回路ブロック図であり、図３中の分図（ａ）に示された集塵機側の回路と図３中の分図（ｂ）に示された電動工具側の回路とをコネクタ接続した状態を示している。
【００２１】
図３中の分図（ａ）に示すように、集塵機と電動工具の連動運転システム１００に係る集塵機２０側の回路は、スイッチ１と、３つの電界効果トランジスタ（ＦＥＴ：Ｆｉｅｌｄ  Ｅｆｆｅｃｔ  Ｔｒａｎｓｉｓｔｏｒ、以下、「ＦＥＴ」と記す。）２，３，９と、モータ４と、２つのバッテリ５，６と、回路の制御を行う制御回路１０と、を備えて構成される。
【００２２】
なお、本実施形態に係る集塵機２０は、電動工具４０側の回路とコネクタ接続されていなくても作動するようになっている。図３に示すように、集塵機２０側の回路が電動工具４０側の回路とコネクタ接続されていない状態で、集塵機２０側のスイッチ１がＯＮされると、制御回路１０がコネクタ接続されていないことを判断する。制御回路１０がコネクタ接続されていないと判断すると、ＦＥＴ２およびＦＥＴ９がＯＮ状態となる一方でＦＥＴ３がＯＦＦ状態となることで、集塵機２０側の回路が接続されてモータ４が作動し、集塵機２０が作動する。
【００２３】
図３中の分図（ｂ）に示すように、集塵機と電動工具の連動運転システム１００に係る電動工具４０側の回路は、スイッチ７と、モータ８と、回路の制御を行う制御回路１２と、を備えて構成される。
【００２４】
図３中の分図（ａ）に示された集塵機２０側の回路と図３中の分図（ｂ）に示された電動工具４０側の回路とをコネクタ接続すると、図４に示す状態となる。
【００２５】
以上、本実施形態に係る集塵機２０と電動工具４０のシステム構成について説明した。次に、集塵機２０側の回路と電動工具４０側の回路とがコネクタ接続されている状態の集塵機と電動工具の連動運転システム１００の動作例について、説明する。
【００２６】
［実施例１］
図４に示すように、集塵機２０側の回路と電動工具４０側の回路とがコネクタ接続された状態で、集塵機２０側のスイッチ１がＯＮされると、制御回路１０がコネクタ接続されていることを判断する。制御回路１０がコネクタ接続されていると判断すると、ＦＥＴ２、ＦＥＴ３およびＦＥＴ９がＯＦＦ状態とされる。ＦＥＴ２、ＦＥＴ３およびＦＥＴ９がＯＦＦ状態とされると、集塵機２０側の回路は接続されないのでモータ４は作動しないこととなる。ここで、電動工具４０側のスイッチ７がＯＮされると、バッテリ６を含む電動工具４０側の回路が接続され、電動工具４０側のモータ８が作動して電動工具４０はＯＮ状態となるとともに、電動工具４０側の制御回路１２が信号を出力する。そして、電動工具４０側の制御回路１２からの信号を集塵機２０側の制御回路１０が認識すると、ＦＥＴ３がＯＮ状態となり、集塵機２０側のモータ４が配置される回路が接続されてモータ４が作動し、集塵機２０が作動する。
【００２７】
このように、本実施例では、集塵機２０側の回路と電動工具４０側の回路とをコネクタ接続することにより、電動工具４０がＯＮ状態となったとき、２個のバッテリ５，６によって供給される電力によって、集塵機２０は電動工具４０と連動運転可能となる。なお、本実施例では、図４に示すように、２個のバッテリ５，６のうちの紙面上の上側のバッテリ６が放電可能な状態であれば、電動工具４０を作動させることができるようになっている。すなわち、集塵機２０側の回路と電動工具４０側の回路とがコネクタ接続された状態では、本実施例に係る集塵機と電動工具の連動運転システム１００は、駆動電力を供給可能なバッテリが片方のバッテリ６だけであるとき、つまり、バッテリ５が設置されていなかったりバッテリ５の充電電力が空になっていたりするときには、集塵機２０は運転動作不能となる一方で、電動工具４０は運転動作可能となるように構成されている。
【００２８】
このような構成により、本実施例によれば、駆動電力を供給可能なバッテリが片方のバッテリ６だけであるときには、集塵機２０と電動工具４０との連動運転が不能となるシステムを提供することができ、使い勝手が良く、バッテリの早期劣化を防止できる集塵機と電動工具の連動運転システム１００を提供することが可能となる。
【００２９】
［実施例２］
図４に示すように、集塵機２０側の回路と電動工具４０側の回路とがコネクタ接続された状態で、集塵機２０側のスイッチ１がＯＮされると、制御回路１０がコネクタ接続されていることを判断する。制御回路１０がコネクタ接続されていると判断すると、ＦＥＴ２、ＦＥＴ３およびＦＥＴ９がＯＦＦ状態とされるともに、集塵機２０側の制御回路１０から電動工具４０側の制御回路１２に信号を出力する。上述したように、ＦＥＴ２、ＦＥＴ３およびＦＥＴ９がＯＦＦ状態とされると、集塵機２０側の回路は接続されないのでモータ４は作動しないこととなる。ここで、電動工具４０側のスイッチ７がＯＮされると、バッテリ６を含む電動工具４０側の回路が接続され、電動工具４０側の制御回路１２が集塵機２０側の制御回路１０からの信号を認識したか判断する。電動工具４０側の制御回路１２が、集塵機２０側の制御回路１０からの信号を認識したと判断すると、電動工具４０側のモータ８が作動して電動工具４０はＯＮ状態となるとともに、電動工具４０側の制御回路１２が信号を出力する。そして、電動工具４０側の制御回路１２からの信号を集塵機２０側の制御回路１０が認識すると、ＦＥＴ３がＯＮ状態となり、集塵機２０側のモータ４が配置される回路が接続されてモータ４が作動し、集塵機２０が作動する。
【００３０】
上述した実施例と同様に、本実施例では、集塵機２０側の回路と電動工具４０側の回路とをコネクタ接続することにより、電動工具４０がＯＮ状態となったとき、２個のバッテリ５，６によって供給される電力によって、集塵機２０は電動工具４０と連動運転可能となる。しかし、本実施例では、上述した実施例とは異なり、電動工具４０側の制御回路１２が集塵機２０側の制御回路１０からの信号を認識したと判断した場合に、電動工具４０がＯＮ状態となるので、集塵機２０側のスイッチ１がＯＦＦであったり、２個のバッテリ５，６の両方が放電可能な状態となっていない場合、電動工具４０は作動しないようになっている。すなわち、本実施例では、駆動電力を供給可能なバッテリが１個のときには、集塵機２０と電動工具４０のいずれも運転動作不能となっている。
【００３１】
このような構成により、本実施例によれば、駆動電力を供給可能なバッテリ５，６が１個のときには、集塵機２０と電動工具４０との連動運転が不能となるシステムを提供することができ、使い勝手が良く、バッテリの早期劣化を防止できる集塵機と電動工具の連動運転システム１００を提供することが可能となる。
【００３２】
以上、本発明の好適な実施形態について説明したが、本発明の技術的範囲は上記実施形態に記載の範囲には限定されない。上記実施形態には、多様な変更又は改良を加えることが可能である。
【００３３】
例えば、集塵機２０のバッテリ５，６と電動工具４０のバッテリ４３とが同種となるように構成することができる。このような構成により、電動工具４０を単独で使用する場合に、集塵機２０のバッテリを電動工具４０に用いることが可能となる。
【００３４】
また、上述した実施例１に係る集塵機と電動工具の連動運転システム１００では、駆動電力を供給可能なバッテリが片方のバッテリ６だけであるとき、つまり、バッテリ５が設置されていなかったりバッテリ５の充電電力が空になっていたりするときには、集塵機２０は運転動作不能となる一方で、電動工具４０は運転動作可能となるように構成されていた。しかし、本発明では、駆動電力を供給可能なバッテリがバッテリ５とバッテリ６のいずれか１個であるときに、集塵機２０は運転動作不能となる一方で、電動工具４０は運転動作可能となるように構成することができる。
【００３５】
その様な変更又は改良を加えた形態も本発明の技術的範囲に含まれ得ることが、特許請求の範囲の記載から明らかである。
【符号の説明】
【００３６】
１００  集塵機と電動工具の連動運転システム、１  （集塵機側）スイッチ、２  ＦＥＴ、３  ＦＥＴ、４  （集塵機側）モータ、５，６  バッテリ、７  （電動工具側）スイッチ、８  （電動工具側）モータ、９  ＦＥＴ、１０  （集塵機側）制御回路、１２  （電動工具側）制御回路、２０  集塵機、２１  集塵ホース、２３  コネクタ設置部、３１  電気コード、３３  （集塵機側）コネクタ、３５  （電動工具側）コネクタ、４０  電動工具、４１  コネクタ挿入口、４３  バッテリ。
【図１】
2018196911.tif 000003
【図２】
2018196911.tif 000004
【図３】
2018196911.tif 000005
【図４】
2018196911.tif 000006